(57)【要約】【課題】ある相手先に送信した場合に、その都度、通信証を発行し得る通信短縮装置を提供する。【解決手段】ワンタッチ・短縮登録テーブル５ａに、通信証設定欄を設け、通信証を発行したい相手先にのみ、通信証設定しておき、ワンタッチキーを操作して、ワンタッチダイヤル送信を開始し、終了すると（ステップＳＴ２１〜ＳＴ２１）、ワンタッチ・短縮登録テーブル５ａを参照し（ステップＳＴ２４、ＳＴ２５）、操作ワンタッチキーに対応する通信証の設定欄に設定がなされている場合に、通信証をプリントする（ステップＳＴ２６）。通信証の設定欄に設定がなされていない場合は、通信証をプリントしない。【選択図】      図４
2005064607.tif 000002
【特許請求の範囲】
【請求項１】
ワンタッチキー及び短縮ダイヤルを有する操作部と、ワンタッチキー及び短縮ダイヤルに対応して宛先番号、宛先名称等の宛先情報を登録するワンタッチ・短縮ダイヤル登録部と、通信証を発行する通信証発行手段とを備える通信端末装置において、
前記ワンタッチ・短縮ダイヤル登録部に、記憶されている宛先への通信時に通信証を発行するか否かを登録する通信証発行登録部を備えるとともに、前記ワンタッチキーあるいは短縮ダイヤルの操作に応じて行う通信時に、前記通信証登録部の記憶内容に応じて通信証を発行するように制御する制御部を備えたことを特徴とする通信端末装置。
【請求項２】
前記通信証発行登録部への登録は、通信証設定モードの選択と、通信証を発行するワンタッチ番号、短縮番号を一括入力による登録により行うことを特徴とする請求項１記載の通信端末装置。
【請求項３】
前記通信証発行登録部への登録は、ワンタッチキー及び短縮キーの宛先情報の登録時に併せて行うことを特徴とする請求項１記載の通信端末装置。
【発明の詳細な説明】
【０００１】
【発明の属する技術分野】
この発明は、複写機、ファクシミリ装置、複写機能・ファクシミリ機能などの多機能を有する複合機などの通信端末装置に関する。
【０００２】
【従来の技術】
一般に、ファクシミリ装置などの通信端末装置には、宛先毎に宛先名、宛先番号、通信時刻等を記録し、例えば１日毎に通信証をプリントアウトするものがある。この種の通信装置において、特定の宛先にのみ通信証を発行するために、ワンタッチキー、短縮キーの宛先名、宛先番号とともに、通信証発行の有無を登録しておき、通信証発行の登録されている宛先のみ通信証を発行するようにしたファクシミリ装置が開示されている（例えば、特許文献１参照）。
【０００３】
【特許文献１】
特開２０００−２１８１９９号公報
【０００４】
【発明が解決しようとする課題】
ユーザによっては、普通は記憶証を発行したくないが、ある相手先にのみ送信するときだけ通信証を発行したい場合がある。上記した特許文献１に記載の装置では、ある相手先に通信証を発行するものであるが、送信及び受信の通信、しかも何通かをまとめた通信履歴の通信証を発行するものであり、ある相手先の送信のみ、その都度、通信証を発行することができない。
【０００５】
この発明は上記問題点に着目してなされたものであって、ある相手先に送信した場合に、その都度、通信証を発行し得る通信端末装置を提供することを目的としている。
【０００６】
【課題を解決するための手段】
この通信端末装置は、ワンタッチキー及び短縮ダイヤルを有する操作部と、ワンタッチキー及び短縮ダイヤルに対応して宛先番号、宛先名称等の宛先情報を登録するワンタッチ・短縮ダイヤル登録部と、通信証を発行する通信証発行手段とを備える通信端末装置において、前記ワンタッチ・短縮ダイヤル登録部に、記憶されている宛先への通信時に通信証を発行するか否かを登録する通信証発行登録部を備えるとともに、前記ワンタッチキーあるいは短縮ダイヤルの操作に応じて行う通信時に、前記通信証登録部の記憶内容に応じて通信証を発行するように制御する制御部を備えている。
【０００７】
この発明の通信端末装置では、ワンタッチキーあるいは短縮ダイヤル操作により、送信を行う場合に、ワンタッチ・短縮ダイヤル登録部の通信証発行登録部に、その操作ワンタッチキー、あるいは短縮ダイヤルにつき、通信証発行の設定がなされている場合にのみ、その送信の都度、通信証を発行する。
【０００８】
この発明の通信端末装置において、前記通信証発行登録部への登録は、通信証設定モードの選択と、通信証を発行するワンタッチ番号、短縮番号を一括入力による登録により行うことができる。
【０００９】
また、この発明の通信端末装置において、前記通信証発行登録部への登録は、ワンタッチキー及び短縮キーの宛先情報の登録時に併せて、一括して行うこともできる。
【００１０】
【発明の実施の形態】
以下、実施の形態により、この発明を更に詳細に説明する。図１は、この発明の一実施形態であるファクシミリ装置の構成を示すブロック図である。
【００１１】
このファクシミリ装置は、カラーのコピー装置とカラーのファクシミリ装置を兼用するカラー複合機として構成したものである。ファクシミリ装置は、ＩＴＵ−Ｔ勧告で規定されたファクシミリ通信手順に従って、カラー画像をファクシミリ通信する機能を備えている。
【００１２】
図１において、主制御部としてのＣＰＵ（中央処理装置）１は、当該装置を構成する各部を統括制御する機能を有する。
【００１３】
このＣＰＵ１には、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Ｃｏｄｅｒ  ａｎｄ  Ｄｅｃｏｄｅｒ  ）１１、ＬＡＮ  Ｉ／Ｆ１２がバス１３を介して接続されている。
【００１４】
ＮＣＵ２は、ＣＰＵ１により制御されて、通信回線である電話回線網（ＰＳＴＮ）１４との接続を制御する。また、ＮＣＵ２は、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順（ファクシミリ通信手順）に基づいて、Ｖ．１７、Ｖ．２７ｔｅｒ、Ｖ．２９等に従った送信データの変調及び受信データの復調を行う。また、ＭＯＤＥＭ３は、Ｖ．８、Ｖ．３４を用いたＶ．３４ＦＡＸにも適用可能である。具体的には、ＭＯＤＥＭ３は、ＮＣＵ２を介して電話回線網１４に送出するために、デジタル信号である送信データをアナログの音声信号に変調する機能を有する。また、ＭＯＤＥＭ３は、電話回線網１４からＮＣＵ２を介して受信したアナログの音声信号をデジタル信号に復調する機能を有する。
【００１５】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。ＲＡＭ５には、ワンタッチ・短縮登録テーブル５ａを有する。このワンタッチ・短縮登録テーブル５ａには、図５に示すワンタッチダイヤル登録テーブルと、図６に示す短縮ダイヤル登録テーブルとを含むものである。ワンタッチダイヤル登録テーブルは、図５に示すように、個別のワンタッチキーＫ１、Ｋ２、Ｋ３、……、に関連対応させて、相手先情報、相手先名の他に通信証の発行の有無を設定する欄を備えている。また、短縮テーブルは、図６に示すように、個別の短縮ダイヤル０１、０２、０３、……、に関連対応させて、相手先情報、相手先名の他に、通信証の発行のを有無を設定する欄を備えている。画像メモリ６は、画像読み取り部９で読み取った画像データを圧縮状態で記憶する。さらに、画像メモリ６は、パーソナルコンピュータ等の外部装置からネットワーク（ＬＡＮ）を介して受信した画像データ又は記録メディアから読み込んだ画像データを圧縮状態（ＪＰＥＧ等）で記憶する。
【００１６】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。操作部８は、テンキーと、ワンタッチキーと、登録キーと、スタートキーと、動作モード切替キーとを有する。テンキーは、電話番号やＦＡＸ番号を入力するためのものである。ワンタッチキーは、相手先の電話番号やＦＡＸ番号をワンタッチで呼び出すためのものである。登録キーは、相手先の電話番号やＦＡＸ番号を短縮登録するためのものである。スタートキーは、ファクシミリ通信やコピー動作の開始を指示するためのものである。動作モード切替キーは、ＦＡＸモード・コピーモード・スキャナモード等の複数の動作モードについてのモード切り替えを行うためのものである。
【００１７】
画像読み取り部９は、ファクシミリ送信するとき又はコピーするときに、原稿の画像データを光学的に走査して読み取る。この画像読み取り部９は、カラー画像の読み取りも可能である。カラー読み取りの場合、画像読み取り部９は、原稿画像を光学的に走査し、ＲＧＢ３色の色分解信号を得る。画像記録部１０は、電子写真方式のプリンタよりなり、受信画像データやコピー動作において画像読み取り部９で読み取った原稿の画像データを記録紙上に記録する。この画像記録部１０は、ＣＭＹＫ４色の記録剤（トナー）を使用するものであり、Ｋ（黒成分）のみの記録剤を用いたモノクロプリントに加えて、ＣＭＹＫ４色全ての記録剤を用いたカラープリントも可能である。
【００１８】
ＣＯＤＥＣ１１は、読み取った画像データを送信又は記憶するためにＭＨ、ＭＲ、ＭＭＲ方式等により符号化（エンコード）する。また、ＣＯＤＥＣ１１は、圧縮符号化された状態で受信した画像データを、画像記録部１０により記録するために復号（デコード）する。更に、ＣＯＤＥＣ１１は、画像読み取り部９でカラー読み取りして得たカラー画像データをＪＰＥＧ方式により符号化し、ＪＰＥＧ方式により符号化された状態で受信したカラー画像データを、画像記録部１０により記録するために復号する。ＬＡＮ  Ｉ／Ｆ１２は、ＬＡＮ（ローカルエリアネットワーク）１５を介して外部機器とのデータ授受を行うためのものであり、ＬＡＮ  Ｉ／Ｆ１２を介してＰＣ（パーソナルコンピュータに接続される。
【００１９】
この実施形態ファクシミリ装置において、ワンタッチ・短縮登録テーブル５ａに、通信証発行の設定を行う場合には、図２にフロー図を示すように、ステップＳＴ１において、ワンタッチ・短縮テーブルの設定登録キー及び設定すべき各ワンタッチ／短縮キーを操作する。続いて、ステップＳＴ２において、相手先、電話番号やメールアドレスなどの相手先情報、グルーブ等を登録する。次に、ステップＳＴ３へ移行する。ステップＳＴ３において、この宛先への送信について、通信証を発行するかしないかを登録する。発行を設定する場合には、通信証設定の欄を「１」とする。発行を設定しない場合は、通信証設定の欄を「０」のままとする。
【００２０】
他の通信証発行の設定方法としては、図３に示すフロー図のようにしても良い。この場合は、ステップＳＴ１１において、操作部８に設ける通信証設定キーを操作する。次に、ステップＳＴ１２において、通信証を発行するワンタッチ番号、短縮番号を一括登録する。なお、ここでは、ワンタッチ番号、短縮番号又は電話番号を加えても良い。電話番号は、相手通信端末の電話番号であり、電話番号が入力されたときに、登録された電話番号と比較し判別する。この一括登録により、ワンタッチ・短縮登録テーブル５ａの入力されたワンタッチ番号、短縮番号に対応する通信証設定の欄を「１」とする。
【００２１】
次に、この実施形態ファクシミリ装置のワンタッチ・短縮ダイヤルによる送信時の処理動作を図４に示すフロー図を参照して説明する。先ず、ステップＳＴ２１において、操作部８のワンタッチキーあるいは短縮ダイヤルが操作される。次に、ステップＳＴ２２へ移行する。ステップＳＴ２１においては、操作されたワンタッチキーあるいは短縮ダイヤルに対応する宛先に、原稿データを送信する。次に、ステップＳＴ２３において、送信完了を確認する。続いて、ステップＳＴ２４へ移行する。
【００２２】
ステップＳＴ２４においては、ワンタッチ・短縮テーブル５ａを参照し、操作されたワンタッチ・短縮ダイヤルに個別通信証ＯＮに設定されているか否かを判定する。個別通信証ＯＮが設定されていると、ステップＳＴ２５へ移行する。一方、個別通信証ＯＮが設定されていないと、処理を終了する。ステップＳＴ２５においては、宛先の通信証設定ＯＮか否か判定する。宛先の通信証設定ＯＮの場合は、ステップＳＴ２６へ移行する。一方、宛先の通信証設定でない場合は、処理を終了する。ステップＳＴ２６においては、今回送信した通信の通信証をプリントする。このように、ワンタッチ・短縮登録テーブル５ａの通信証設定の欄に「１」が設定されている相手先に送信した場合には、その都度、通信証が発行される。
【００２３】
【発明の効果】
この発明によれば、前記ワンタッチ・短縮ダイヤル登録部に、記憶されている宛先への通信時に通信証を発行するか否かを登録する通信証発行登録部を備えるとともに、前記ワンタッチキーあるいは短縮ダイヤルの操作に応じて行う通信時に、前記通信証登録部の記憶内容に応じて通信証を発行するように制御する制御部を備えているので、ある特定の宛先に送信したときに、通信証キーを操作せずとも、その都度、忘れることなく、通信証を発行できる。
【図面の簡単な説明】
【図１】この発明が実施されるファクシミリ装置の構成を示すブロック図である。
【図２】同ファクシミリ装置の通信証設定処理を説明するフロー図である。
【図３】同ファクシミリ装置の通信証設定の他の処理方法を説明するフロー図である。
【図４】同ファクシミリ装置の送信処理を説明するフロー図である。
【図５】同ファクシミリ装置のワンタッチテーブルの一例を示す図である。
【図６】同ファクシミリ装置の短縮テーブルの一例を示す図である。
【符号の説明】
１              主制御部（ＣＰＵ）
２              ＮＣＵ
３              ＭＯＤＥＭ
４              ＲＯＭ
５              ＲＡＭ
５ａ            ワンタッチ・短縮テーブル
６              画像メモリ
７              表示部
８              操作部
９              画像読み取り部
１０            画像記録部
１１            ＣＯＤＥＣ
１２            ＬＡＮ  Ｉ／Ｆ
１３            バス
１４            ＬＡＮ
１５            電話回線網
【図１】
2005064607.tif 000003
【図２】
2005064607.tif 000004
【図３】
2005064607.tif 000005
【図４】
2005064607.tif 000006
【図５】
2005064607.tif 000007
【図６】
2005064607.tif 000008